(57)【要約】【課題】ディスプレイに表示する画像の種類に応じて、適切な階調特性で画像をディスプレイに表示する。【解決手段】表示制御装置１０は、読影画像の表示領域を示す読影領域情報、及び読影画像の種別を示す画像種別情報を取得する情報取得部２１０と、読影領域情報に基づいて、複数のディスプレイ３０のうち、読影画像を表示する一以上のディスプレイ３０を特定する階調制御部２２０と、階調制御部２２０が特定した一以上のディスプレイ３０の階調特性を、画像種別情報に対応する階調特性に設定するコマンド発行部２３０と、を有することを特徴とする。【選択図】図３
2016042954.tif 000002
【特許請求の範囲】
【請求項１】
読影画像を表示する複数の表示装置の階調特性を制御する表示制御装置であって、
前記読影画像の表示領域を示す読影領域情報、及び前記読影画像の種別を示す画像種別情報を取得する取得手段と、
前記読影領域情報に基づいて、前記複数の表示装置のうち、前記読影画像を表示する一以上の表示装置を特定する特定手段と、
前記特定手段が特定した前記一以上の表示装置の階調特性を、前記画像種別情報に対応する階調特性に設定する設定手段と、
を有することを特徴とする表示制御装置。
【請求項２】
前記取得手段は、前記複数の表示装置の画面サイズを示すサイズ情報と、前記複数の表示装置の配置を示す配置情報とをさらに取得し、
前記特定手段は、前記サイズ情報及び前記配置情報に基づいて、前記複数の表示装置から構成される表示画面の座標情報を生成し、生成した前記座標情報と前記読影領域情報とに基づいて前記一以上の表示装置を特定することを特徴とする、
請求項１に記載の表示制御装置。
【請求項３】
前記特定手段は、前記読影画像を表示する前記一以上の表示装置における前記読影画像を表示する領域を特定し、
前記設定手段は、前記特定手段が特定した領域の階調特性を、前記読影画像の種別に対応する階調特性に設定することを特徴とする、
請求項１又は２に記載の表示制御装置。
【請求項４】
前記特定手段が、前記複数の表示装置のうちの第１表示装置が前記読影画像を表示するとともに、前記第１表示装置以外の第２表示装置が、前記読影画像と比較する対象となる比較画像を表示することを特定した場合、
前記設定手段は、前記第１表示装置の階調特性を、前記第２表示装置に関連付けて予め定められた比較読影用階調特性に設定することを特徴とする、
請求項３に記載の表示制御装置。
【請求項５】
前記特定手段が、前記複数の表示装置のうちの第１表示装置が前記読影画像を表示するとともに、前記第１表示装置以外の第２表示装置が、前記読影画像と比較する対象となる比較画像を表示することを特定した場合、
前記設定手段は、前記第１表示装置の階調特性及び前記第２表示装置の階調特性を、所定の目標階調特性に基づいて、前記第１表示装置及び前記第２表示装置が共通に使用する共通階調特性に設定することを特徴とする、
請求項３に記載の表示制御装置。
【請求項６】
前記設定手段は、前記第１表示装置の最大輝度及び前記第２表示装置の最大輝度から選択された小さい方の最大輝度と、前記第１表示装置の最小輝度及び前記第２表示装置の最小輝度から選択された大きい方の最大輝度と、に基づいて前記共通階調特性を設定することを特徴とする、
請求項５に記載の表示制御装置。
【請求項７】
前記設定手段は、前記第１表示装置に表示された測色用画像を用いて測定された前記第１表示装置の前記最大輝度及び前記最小輝度と、前記第２表示装置に表示された測色用画像を用いて測定された前記第２表示装置の前記最大輝度及び前記最小輝度と、に基づいて前記共通階調特性を設定することを特徴とする、
請求項６に記載の表示制御装置。
【請求項８】
前記特定手段は、前記読影画像の表示領域が変更になると、前記読影画像を表示する一以上の表示装置を特定することを特徴とする、
請求項１から７のいずれか１項に記載の表示制御装置。
【請求項９】
請求項１から８のいずれか１項に記載の表示制御装置が設定する前記階調特性に基づいて前記読影画像を表示する表示手段を有することを特徴とする表示装置。
【請求項１０】
読影画像を表示する複数の表示装置と、前記複数の表示装置の階調特性を制御する表示制御装置と、を備える表示システムであって、
前記表示制御装置は、
前記読影画像の表示領域を示す読影領域情報、及び前記読影画像の種別を示す画像種別情報を取得する取得手段と、
前記読影領域情報に基づいて、前記複数の表示装置のうち、前記読影画像を表示する一以上の表示装置を特定する特定手段と、
前記特定手段が特定した前記一以上の表示装置の階調特性を、前記画像種別情報に対応する階調特性に設定する設定手段と、
を有し、
前記特定手段が特定した前記一以上の表示装置は、前記設定手段が設定する前記階調特性に基づいて前記読影画像を表示することを特徴とする表示システム。
【請求項１１】
前記特定手段が特定した前記一以上の表示装置は、前記設定手段が設定する前記階調特性に対応する補正値に基づいて所定の階調特性を補正することにより、前記読影画像を表示することを特徴とする、
請求項１０に記載の表示システム。
【請求項１２】
読影画像を表示する複数の表示装置の階調特性を制御する表示制御方法であって、
前記読影画像の表示領域を示す読影領域情報、及び前記読影画像の種別を示す画像種別情報を取得する手順と、
前記読影領域情報に基づいて、前記複数の表示装置のうち、前記読影画像を表示する一以上の表示装置を特定する手順と、
前記特定する手順において特定した前記一以上の表示装置の階調特性を、前記画像種別情報に対応する階調特性に設定する手順と、
を有することを特徴とする表示制御方法。
【請求項１３】
前記複数の表示装置の画面サイズを示すサイズ情報と、前記複数の表示装置の配置を示す配置情報とを取得する手順をさらに有し、
前記特定する手順において、前記サイズ情報及び前記配置情報に基づいて、前記複数の表示装置から構成される表示画面の座標情報を生成し、生成した前記座標情報と前記読影領域情報とに基づいて前記一以上の表示装置を特定することを特徴とする、
請求項１２に記載の表示制御方法。
【請求項１４】
前記特定する手順において、前記読影画像を表示する前記一以上の表示装置における前記読影画像を表示する領域を特定し、
前記設定する手順において、前記特定する手順において特定した領域の階調特性を、前記読影画像の種別に対応する階調特性に設定することを特徴とする、
請求項１２又は１３に記載の表示制御方法。
【請求項１５】
前記特定する手順において、前記複数の表示装置のうちの第１表示装置が前記読影画像を表示するとともに、前記第１表示装置以外の第２表示装置が、前記読影画像と比較する対象となる比較画像を表示することを特定した場合、
前記設定する手順において、前記第１表示装置の階調特性を、前記第２表示装置に関連付けて予め定められた比較読影用階調特性に設定することを特徴とする、
請求項１４に記載の表示制御方法。
【請求項１６】
前記特定する手順において、前記複数の表示装置のうちの第１表示装置が前記読影画像を表示するとともに、前記第１表示装置以外の第２表示装置が、前記読影画像と比較する対象となる比較画像を表示することを特定した場合、
前記設定する手順において、前記第１表示装置の階調特性及び前記第２表示装置の階調特性を、所定の目標階調特性に基づいて、前記第１表示装置及び前記第２表示装置が共通に使用する共通階調特性に設定することを特徴とする、
請求項１４に記載の表示制御方法。
【請求項１７】
前記設定する手順において、前記第１表示装置の最大輝度及び前記第２表示装置の最大輝度から選択された小さい方の最大輝度と、前記第１表示装置の最小輝度及び前記第２表示装置の最小輝度から選択された大きい方の最大輝度と、に基づいて前記共通階調特性を設定することを特徴とする、
請求項１６に記載の表示制御方法。
【請求項１８】
前記第１表示装置に表示された測色用画像を用いて、前記第１表示装置の前記最大輝度及び前記最小輝度を測定する手順と、
前記第２表示装置に表示された測色用画像を用いて、前記第２表示装置の前記最大輝度及び前記最小輝度を測定する手順と、
をさらに有し、
前記設定する手順において、前記第１表示装置の前記最大輝度及び前記最小輝度と、前記第２表示装置の前記最大輝度及び前記最小輝度と、に基づいて前記共通階調特性を設定することを特徴とする、
請求項１７に記載の表示制御方法。
【請求項１９】
前記読影画像の表示領域が変更になったことを検出する手順をさらに有し、
前記検出する手順において前記読影画像の表示領域が変更になったことを検出した場合に、前記特定する手順において、前記読影画像を表示する一以上の表示装置を特定することを特徴とする、
請求項１２から１８のいずれか１項に記載の表示制御方法。
【請求項２０】
読影画像を表示する複数の表示装置の階調特性を制御する表示制御装置に、
前記読影画像の表示領域を示す読影領域情報、及び前記読影画像の種別を示す画像種別情報を取得する手順と、
前記読影領域情報に基づいて、前記複数の表示装置のうち、前記読影画像を表示する一以上の表示装置を特定する手順と、
前記一以上の表示装置の階調特性を、前記画像種別情報に対応する階調特性に設定する手順と、
を実行させることを特徴とする表示制御用プログラム。
【発明の詳細な説明】
【技術分野】
【０００１】
本発明は、表示装置の階調特性を制御する表示制御装置、表示システム及び表示制御方法に関するものである。
【背景技術】
【０００２】
複数のディスプレイを用いてマルチ画面を構成し、単一映像又は複数の異なる映像を、マルチ画面に表示させる表示システムが知られている。特許文献１には、複数ディスプレイを用いたマルチ画面表示装置において、表示映像が単一映像か複数の異なる映像かに応じて、ガンマ補正を全ディプレイ共通に行うか各ディスプレイ個別に行うか切り替える方法が記載されている。
【先行技術文献】
【特許文献】
【０００３】
【特許文献１】特開平７−３２２１８１号公報
【発明の概要】
【発明が解決しようとする課題】
【０００４】
近年、医療診断装置で撮影した医療画像をディスプレイに表示して診断を行う画像診断が行われている。医療画像は、ＣＴ（Computer Tomography）若しくはＭＲＩ（Magnetic Resonance Imaging）のような断層診断装置で撮影された断層画像、又は内視鏡検査で撮影された画像等である。ディスプレイを用いた画像診断においては、隣接するディスプレイに現在と過去の医療画像を表示して読影する比較読影、及び医療画像を見ながらカルテを作成する電子カルテ編集等が行われる。複数のディスプレイのうち、どのディスプレイに、どのような医療画像を表示するかは、ディスプレイのユーザ（放射線技師、医者、等）又は読影の目的（単独読影、比較読影、電子カルテ編集、等）によって異なる。
【０００５】
ところで、医療画像をディスプレイに表示する場合、医療画像の種類によって、最適な階調特性が異なる。例えば、ＣＴ又はＭＲＩ等で撮影された断層画像の場合、ＤＩＣＯＭ（Digital Imaging and Communication in Medicine）のＧＳＤＦ（Grayscale Standard Display Function）と呼ばれる階調特性（以下、「ＤＩＣＯＭ階調」と称する）が好ましい。また、内視鏡画像のようなカラー画像の場合、一般的なガンマ値２．２の階調特性（以下、「ガンマ２．２階調」と称する）が好ましい。
【０００６】
しかしながら、従来の表示システムにおいては、どのディスプレイにどのような医療画像を表示するかを表示システムが認識できない。したがって、ユーザは、表示する医療画像に適した階調特性をディスプレイに設定するために、使用中の階調特性をディスプレイにＯＳＤ表示させて確認し、ディスプレイ本体の切り替えボタンを操作することにより階調特性を切り替える必要があった。ディスプレイの階調特性の切り替えを頻繁に行うことは、ユーザにとって煩わしく、画像診断効率が低下するという問題があった。
【０００７】
また、ユーザが階調特性を切り替える必要がある場合、ユーザが階調特性の切り替えを忘れたり、使用する階調特性を間違えたりする可能性がある。階調特性の切り替えが適切に行われていないと、医療画像の表示品質が低下する。その結果、ユーザが、医療画像中の患部（腫瘍、石灰化部分、等）を見落としたり誤診をしたりする虞が生じるという問題もあった。
【０００８】
そこで、本発明は上述した点に鑑みてなされたものであり、ディスプレイに表示する画像の種類に応じて、適切な階調特性で画像をディスプレイに表示できるようにすることを目的とする。
【課題を解決するための手段】
【０００９】
上記の課題を解決するために、本発明の表示制御装置は、読影画像を表示する複数の表示装置の階調特性を制御する表示制御装置であって、前記読影画像の表示領域を示す読影領域情報、及び前記読影画像の種別を示す画像種別情報を取得する取得手段と、前記読影領域情報に基づいて、前記複数の表示装置のうち、前記読影画像を表示する一以上の表示装置を特定する特定手段と、前記特定手段が特定した前記一以上の表示装置の階調特性を、前記画像種別情報に対応する階調特性に設定する設定手段と、を有することを特徴とする。
【発明の効果】
【００１０】
本発明によれば、ディスプレイに表示する画像の種類に応じて、適切な階調特性で画像をディスプレイに表示できるという効果を奏する。
【図面の簡単な説明】
【００１１】
【図１】第１の実施形態に係る表示システム１を示す図である。
【図２】複数の種類の階調特性を示す図である。
【図３】表示制御装置１０及びディスプレイ３０の構成を示す図である。
【図４】ディスプレイ３０Ｌ、３０Ｃ、３０Ｒに表示される画面構成の例を示す図である。
【図５】階調モードを変更する場合における表示制御装置１０の動作のフローチャートである。
【図６】階調モードを変更する場合におけるディスプレイ３０の動作のフローチャートである。
【図７】第２の実施形態に係るディスプレイ３０の画面構成の例を示す図である。
【図８】第２の実施形態に係る表示制御装置１０が階調モードを変更する動作のフローチャートである。
【図９】第２の実施形態に係るディスプレイ３０が階調モードを変更する動作のフローチャートである。
【図１０】第３の実施形態に係る表示システム１の構成を示す図である。
【図１１】階調モード管理部３２０が管理している階調特性の例を示す表である。
【図１２】比較読影用の画像がディスプレイ３１Ｃ及びディスプレイ３１Ｒに表示された画面構成の例を示す図である。
【図１３】第３の実施形態に係る表示制御装置１１の動作のフローチャートである。
【図１４】比較読影判定部２４０が、読影画像が単独読影用画像であるか比較読影用画像であるかを判定する動作のフローチャートである。
【図１５】第４の実施形態に係る表示システム１の構成を示す図である。
【図１６】第４の実施形態に係る表示制御装置１２が新たな階調特性をディスプレイ３２に設定する動作のフローチャートである。
【図１７】第４の実施形態に係るディスプレイ３２が階調補正値を算出する動作のフローチャートである。
【発明を実施するための形態】
【００１２】
＜第１の実施形態＞
［表示システム１の概要］
図１は、第１の実施形態に係る表示システム１を示す図である。図１（ａ）は、表示システム１の構成を模式的に示す図である。表示システム１は、複数のディスプレイ３０（ディスプレイ３０Ｌ、３０Ｃ、３０Ｒ）と、複数のディスプレイ３０を制御する表示制御装置１０とを備える。表示制御装置１０と、それぞれのディスプレイ３０とは、ＵＳＢケーブル等の通信線Ｌにより接続されている。表示制御装置１０は、ディスプレイ３０に表示する画像情報、及びディスプレイ３０を制御するための制御情報を、通信線Ｌを介してそれぞれのディスプレイ３０に送信する。
【００１３】
それぞれのディスプレイ３０は、８００×１２００の画素を有している。表示システム１は、互いに隣接して配置された３つのディスプレイ３０を有しているので、２４００×１２００の画素を有する全体画面が構成される。全体画面内の各画素は、左上の位置の座標（０，０）を基準とする座標により表される。図１（ａ）に示すように、左下の位置の座標は（０，１２００）、右上の位置の座標は（２４００，０）、右下の位置の座標は（２４００，１２００）である。
【００１４】
表示制御装置１０は、ディスプレイ３０の階調特性を制御するコンピュータである。表示制御装置１０は、ユーザが、ディスプレイ３０に表示する画像を選択したり、ディスプレイ３０に表示する画像の描画領域のレイアウトを調整したりするための医療画像表示アプリケーション（以下、「表示アプリ」と称する）を実行することができる。ユーザは、表示アプリを用いて、読影する対象となる医療画像に含まれる読影画像を表示する領域（以下、「読影領域」と称する）を調整することができる。なお、医療画像には、読影画像と、読影画像以外の画像やテキストである非読影画像が含まれる。
【００１５】
図１（ｂ）は、ディスプレイ３０Ｃ及び３０Ｒに読影画像を表示した状態を模式的に示す図である。表示アプリは、ユーザが読影画像を配置した位置に基づいて、読影領域の座標を示す座標情報を生成する。図１（ｂ）に示す例において、読影領域は四隅の座標（８１０，１０）、（８１０，１１９０）、（２３９０，１０）、（２３９０，１１９０）により特定される。
【００１６】
表示制御装置１０は、読影領域の四隅の座標に基づいて、読影領域が、３つのディスプレイ３０のうちのどのディスプレイ３０に表示されるかを特定する。また、表示制御装置１０は、特定した一以上のディスプレイ３０の階調特性を、読影領域に表示する読影画像の種別に基づいて設定する。具体的には、表示制御装置１０は、読影画像が表示されるディスプレイ３０に対して、読影画像の種別に応じた階調特性が適用される階調モードで読影画像を表示するように指示する。読影画像を表示するディスプレイ３０は、表示制御装置１０から指示を受けると、適用中の階調特性を、表示制御装置１０から指示された階調モードに対応する階調特性に補正し、補正した階調特性を用いて読影画像を表示する。
【００１７】
ここで、階調特性は、ディスプレイ３０に入力される画像の階調（入力階調）と表示画面の輝度の階調（表示階調）との関係性である。
図２は、複数の種類の階調特性を示す図である。図２（ａ）は、複数の階調特性の入力階調と表示階調との関係を示している。本実施形態において用いられる階調特性は、ガンマ２．２階調、ＤＩＣＯＭ階調、ＬｏｇＬｉｎｅａｒ階調である。階調特性がガンマ２．２階調である場合、入力階調をＩＮn、表示階調をＬnとすると、表示階調はＬn＝(ＩＮn／ＩＮmax)２．２×Ｌmaxで表される曲線となる。ここで、ＩＮmaxは入力階調の最大値であり、Ｌmaxは表示階調の最大値である。また、ＬｏｇＬｉｎｅａｒ階調は、Ｘ線フィルムを表示する場合と同様の表示にするための階調特性である。
【００１８】
図２（ｂ）は、読影画像の種別と、それぞれの読影画像に適した階調特性との関係を示す表である。コンピュータＸ線撮影画像（ＣＲ：Computed Radiography）に対してはＬｏｇＬｉｎｅａｒ階調が適しており、マンモグラフィー画像、ＣＴ画像、ＭＲＩ画像、超音波画像に対してはＤＩＣＯＭ階調が適しており、内視鏡画像に対してはガンマ２．２階調が適している。表示制御装置１０は、読影画像を表示するディスプレイ３０の階調特性を、読影画像の種別に基づいて選択した階調特性に設定することにより、読影画像を用いた診断の精度を向上させることができる。
以下、表示制御装置１０及びディスプレイ３０の構成と動作の詳細を説明する。
【００１９】
［表示制御装置１０及びディスプレイ３０の構成］
図３は、表示制御装置１０及びディスプレイ３０の構成を示す図である。図３は、表示制御装置１０に、ディスプレイ３０Ｃ及びディスプレイ３０Ｒが接続されている構成を示しているが、表示制御装置１０には、任意の数のディスプレイ３０を接続することができる。
【００２０】
表示制御装置１０は、情報保持部１００と、制御部２００とを備える。また、表示制御装置１０には、医療画像を表示するための表示アプリ１１０がインストールされている。
情報保持部１００は、各種の情報を保持するメモリにより構成されており、図２（ｂ）に示した、読影画像の種別と階調特性との関係を示す情報を保持している。また、情報保持部１００は、表示制御装置１０に接続されるディスプレイ３０に関するディスプレイ情報を保持している。
【００２１】
ディスプレイ情報は、起動中の全てのディスプレイ３０により構成される全体画面に関する全体画面情報（幅、高さ、配置）、各ディスプレイの画面サイズを示すサイズ情報（幅、高さ）、起動中の各アプリケーションの描画領域を示す情報（全体画面における左上座標、幅、高さ）を少なくとも含んでいる。情報保持部１００は、ディスプレイ情報を、表示制御装置１０のオペレーティングシステムを介して取得する。情報保持部１００は、ディスプレイ３０の起動状態やアプリケーションの起動状態が変化するたびに、ディスプレイ情報を更新する。
【００２２】
表示アプリ１１０は、さまざまな医療画像を診断目的に応じて配置して表示画面を形成し、ディスプレイドライバを介して、ディスプレイ３０に画像信号を供給する。表示アプリ１１０は、ＲＯＭ又はハードディスク等の記憶媒体に格納されており、制御部２００により実行されることにより、医療画像ビューワーとして機能する。
【００２３】
表示アプリ１１０は、ユーザの操作に基づいて、表示対象とする読影画像を選択する操作画面、診断のために読影画像を表示する読影画面等を形成する。表示アプリ１１０は、読影画面をディスプレイ３０に表示するタイミングで、制御部２００に読影画面情報を提供する。読影画面情報は、全体画面における読影領域の位置を示す読影領域情報と、読影画像の種別を示す画像種別情報とを含む。読影領域情報は、読影領域の左上の座標、幅、高さを示す情報を含む。画像種別情報は、断層画像、内視鏡画像等の画像の種別を特定するための情報を含む。表示アプリ１１０は、ユーザが、読影画面を新しく表示したり、読影画面における読影画像の表示位置を変えたりしたことを検出するたびに、読影画面情報を制御部２００に提供する。
【００２４】
制御部２００は、ＣＰＵにより構成されており、情報取得部２１０、階調制御部２２０、及びコマンド発行部２３０として機能する。また、制御部２００は、ＲＯＭ又はハードディスク等の記憶媒体に格納された表示アプリ１１０及び表示制御用プログラムを実行することもできる。
【００２５】
情報取得部２１０は、表示アプリ１１０から、読影領域情報及び画像種別情報を含む読影画面情報を取得する。また、情報取得部２１０は、情報保持部１００から、複数のディスプレイ３０の画面サイズを示すサイズ情報と、複数のディスプレイ３０の配置に関する情報とを含むディスプレイ情報を取得する。情報取得部２１０は、取得したこれらの情報を階調制御部２２０に提供する。なお、情報取得部２１０は、表示制御装置１０の外部から、読影領域情報、画像種別情報、サイズ情報及び全体画面情報を取得してもよい。
【００２６】
階調制御部２２０は、情報取得部２１０を介して、表示アプリ１１０から読影画面情報を受け取り、情報保持部１００からディスプレイ情報を取得する。階調制御部２２０は、ディスプレイ情報に含まれるサイズ情報及び配置情報、並びに読影画面情報に含まれる読影領域情報に基づいて、読影画像を表示する一以上のディスプレイ３０を特定する。具体的には、階調制御部２２０は、サイズ情報及び配置情報に基づいて、複数のディスプレイ３０から構成される全体画面の座標情報を生成し、生成した座標情報と読影領域情報とに基づいて、読影画像を表示するディスプレイ３０を特定する。また、階調制御部２２０は、表示アプリ１１０から受け取った画像種別情報に基づいて、ディスプレイ３０に読影画像を表示する場合の階調特性に対応する階調モードを決定する。
【００２７】
コマンド発行部２３０は、ディスプレイ３０の階調特性・輝度・色温度といった表示特性を制御するコマンドを作成し、ＵＳＢケーブル等の通信線Ｌを介してディスプレイ３０に表示制御コマンドを送信する。コマンド発行部２３０は、表示アプリ１１０の起動時、画面遷移時、読影画像の表示位置の変更時、ディスプレイ校正ツール実行時等に、階調制御部２２０からの指示に応じて表示制御コマンドを送信する。
【００２８】
例えば、コマンド発行部２３０は、読影画像の表示位置が変更されたことに応じて、階調制御部２２０が、読影画像を表示するディスプレイ３０の階調モードを決定すると、読影画像を表示するディスプレイ３０に対して、表示制御コマンドとして、階調モード変更コマンドを送信する。コマンド発行部２３０は、階調モード変更コマンドを送信することにより、読影画像を表示するディスプレイ３０の階調特性を、ディスプレイ３０に表示される読影画像に適した階調特性に設定することができる。ここで、階調モード変更コマンドは、コマンドを受け取ったディスプレイ３０がコマンド種別を特定するためのコマンド識別情報と、変更後の階調モードを特定するための階調モード種別情報とを少なくとも含んでいる。
【００２９】
続いて、ディスプレイ３０の構成について説明する。ディスプレイ３０は、コマンド処理部３１０と、階調モード管理部３２０と、階調補正部３３０と、表示部３４０とを有する。
【００３０】
コマンド処理部３１０は、コマンド発行部２３０から受け取った表示制御コマンドを解析して、表示制御コマンドに基づく表示制御処理を実行する機能ブロックに指示を出す。コマンド処理部３１０は、表示制御コマンドに含まれるコマンド識別情報に基づいて、受信した表示制御コマンドが階調モード変更コマンドであると認識した場合、階調モード管理部３２０に対して、階調モード変更コマンドに含まれる階調モード種別情報に対応する階調モードに変更するように指示を出す。
【００３１】
階調モード管理部３２０は、階調モード種別に関連付けて、階調補正値を保持している。また、階調モード管理部３２０は、現在適用中の階調モード種別を保持している。階調モード管理部３２０は、コマンド処理部３１０から階調モード変更指示を受け取ると、階調モード種別に関連付けられた階調補正値を取得する。階調モード管理部３２０は、取得した階調補正値を階調補正部３３０に設定する。
【００３２】
ここで、階調補正値は、入力階調ＩＮnに対する表示階調Ｌnを得るための出力階調ＯＵＴnを規定した値である。上述のとおり、ディスプレイの表示特性がガンマ２．２である場合、表示階調はＬn＝(ＩＮn／ＩＮmax)２．２×Ｌmaxで表される曲線となる。出力階調ＯＵＴnは、表示階調Ｌnにディスプレイの逆表示特性を掛けることで得られる。したがって、出力階調はＯＵＴn＝(Ｌn／Ｌmax)1／２．２×ＯＵＴmaxとなる。よって、階調モード種別がガンマ２．２階調であれば、ＯＵＴn＝(Ｌn／Ｌmax)1／２．２×ＯＵＴmaxにＬn＝(ＩＮn／ＩＮmax)２．２×Ｌmaxを代入することにより、ＩＮn＝ＯＵＴn×(ＩＮmax／ＯＵＴmax)の関係式が得られる。このような階調補正値は、ディスプレイ３０用の工場出荷調整ツール、表示制御装置１０又はディスプレイ３０で実行可能な医療ディスプレイ管理ツール、ディスプレイ校正ツール等を用いて算出されたものである。
【００３３】
階調補正部３３０は、表示制御装置１０から入力された読影画像の階調値を階調補正値に基づき補正する。階調補正部３３０は、階調モード管理部３２０から、変更後の階調モードに対応する階調補正値を受け取ると、現在適用中の階調補正値を、受け取った階調補正値に変更する。階調補正部３３０は、変更後の階調補正値に基づいて階調値を補正した読影画像を表示部３４０に提供する。
【００３４】
表示部３４０は、例えば液晶パネル及びバックライトにより構成されている。表示部３４０は、階調補正部３３０から提供された読影画像を表示する。階調補正部３３０から提供された読影画像は、読影画像の種別に適した階調特性に基づいて補正されているので、表示部３４０は、読影に適した状態で読影画像を表示することができる。
【００３５】
［表示制御装置１０及びディスプレイ３０の動作］
図４は、ディスプレイ３０Ｌ、３０Ｃ、３０Ｒに表示される画面構成の例を示す図である。図４に示した例では、３台のディスプレイ３０のうち、中央のディスプレイ３０Ｃ及び右側のディスプレイ３０Ｒに、表示アプリ１１０が出力する医療画像が表示されている。ここで、情報保持部１００が保持しているディスプレイ情報には、全体画面情報として（幅＝２４００、高さ＝１２００、配置＝ディスプレイ３０Ｌ，３０Ｃ，３０Ｒ）、各ディスプレイのサイズ情報として（幅＝８００、高さ＝１２００）、医療画像の描画領域情報として（左上座標＝（８００，０）、幅＝１６００、高さ＝１２００）という情報が含まれているものとする。
【００３６】
また、ディスプレイ３０Ｌの表示領域は（左上座標＝（０，０）、幅＝８００、高さ＝１２００）、ディスプレイ３０Ｃの表示領域は（左上座標＝（８００，０）、幅＝８００、高さ＝１２００）、ディスプレイ３０Ｒの表示領域は（左上座標＝（１６００，０）、幅＝８００、高さ＝１２００）である。医療画像の描画領域が（左上座標＝（８００，０）、幅＝１６００、高さ＝１２００）であることから、階調制御部２２０は、ディスプレイ３０Ｃ及びディスプレイ３０Ｒが医療画像を表示することを特定する。
【００３７】
図５は、ディスプレイ３０の階調モードを変更する場合における表示制御装置１０の動作のフローチャートである。具体的には、図５は、階調制御部２２０が表示アプリ１１０から読影画面情報を受け取った場合に実行する階調特性の設定動作を示している。
【００３８】
まず、階調制御部２２０は、読影画像の表示領域が変更になったことに応じて読影画面情報を受け取ると、情報保持部１００からディスプレイ情報を取得する（Ｓ２１０１）。階調制御部２２０は、ディスプレイ情報に含まれる全体画面情報と、それぞれのディスプレイ３０のサイズ情報と、表示アプリ１１０の描画領域情報とに基づいて、表示アプリ１１０の画面を表示しているディスプレイ３０を特定する（Ｓ２１０２）。
【００３９】
次に、階調制御部２２０は、読影画面情報に含まれる読影画像の表示領域を示す読影領域情報に基づき、読影画像を表示するディスプレイ３０を特定する（Ｓ２１０３）。図４に示した例では、医療画像における読影画像の領域は、（左上座標＝（８００，０）、幅＝８００、高さ＝１２００）となる。医療画像の描画領域が（左上座標＝（８００，０）、幅＝１６００、高さ＝１２００）であることから、階調制御部２２０は、読影領域が（左上座標＝（１６００，０）、幅＝８００、高さ＝１２００）であり、ディスプレイ３０Ｒが読影画像を表示することを特定する。
【００４０】
続いて、階調制御部２２０は、読影画面情報に含まれる画像種別情報に基づき、読影画像を表示するディスプレイ３０Ｒで使用する階調モードを特定する（Ｓ２１０４）。図４で示した例では、読影画像の種別がＣＴであるため、図２（ｂ）に示した医療画像種別と階調特性との対応を示す情報に基づいて、階調モードがＤＩＣＯＭ階調モードであると特定する。
【００４１】
続いて、階調制御部２２０は、特定したディスプレイ３０Ｒの階調特性を、特定した階調特性に変更するためのコマンド発行指示をコマンド発行部２３０に出す（Ｓ２１０５）。ここで、階調モード変更コマンド発行指示には、少なくとも階調モードを変更する対象となるディスプレイ３０を特定するためのディスプレイ識別情報、及び階調モードの種別を示す階調モード種別情報が含まれる。図４に示した例の場合、コマンド発行部２３０は、階調制御部２２０から受けた指示に基づいて、ディスプレイ３０Ｒに対して、階調モードをＤＩＣＯＭ階調モードに変更することを指示する階調モード変更コマンドを送信する。
【００４２】
［ディスプレイ３０の動作］
続いて、階調モード管理部３２０が階調モードを変更する処理について説明する。図６は、階調モードを変更する場合におけるディスプレイ３０の動作のフローチャートである。
【００４３】
階調モード管理部３２０は、コマンド処理部３１０から階調モード変更指示を受け取ると、階調モード変更処理を開始する。階調モード管理部３２０は、階調モード変更指示を受け取ると、現在適用中の階調モード種別を内部のメモリから取得する（Ｓ３３１）。また、階調モード管理部３２０は、階調モード変更指示に含まれる階調モード種別を取得する（Ｓ３３２）。続いて、階調モード管理部３２０は、変更する階調モード種別と現在適用中の階調モード種別が一致するか否かを判定する（Ｓ３３３）。
【００４４】
階調モード管理部３２０は、変更する階調モード種別と現在適用中の階調モード種別とが一致する場合（Ｓ３３３においてＹｅｓの場合）、階調モードを変更する必要がないので階調モード変更処理を終了する。階調モード管理部３２０は、変更する階調モード種別と現在適用中の階調モード種別とが一致しない場合（Ｓ３３３においてＮｏの場合）、変更する階調モード種別に対応した階調補正値を取得する（Ｓ３３４）。続いて、階調モード管理部３２０は、取得した階調補正値を階調補正部３３０に設定する（Ｓ３３５）。図４に示した例では、変更後の階調モード種別はＤＩＣＯＭ階調であるので、現在適用中の階調モード種別がガンマ２．２階調であれば、階調特性をガンマ２．２階調からＤＩＣＯＭ階調へと変更する。階調モードをガンマ２．２階調からＤＩＣＯＭ階調に変更することで、図２（ａ）に示したように、中間階調が全体的に暗く表示されることになる。
【００４５】
［第１の実施形態における効果］
以上説明したように、第１の実施形態に係る表示制御装置１０は、医療画像の表示や移動が行われるタイミングで、読影画像が表示されるディスプレイ３０を特定して、読影画像の種別に適した階調特性となるように設定する。そして、読影画像を表示するディスプレイ３０は、表示制御装置１０により設定された階調特性に基づいて読影画像を表示するように、階調特性を変更する。このようにすることで、表示システム１においては、ユーザによる特別な操作がなくても、読影画像に適した階調特性に基づいて、読影画像をディスプレイ３０に表示することができる。
【００４６】
＜第２の実施形態＞
［複数種類の読影画像を表示する］
第１の実施形態においては、ディスプレイ３０に表示する読影画像の種別が１種類であったが、第２の実施形態は、ディスプレイ３０に表示する読影画像の種別が２種類以上である点で第１の実施形態と異なる。図３に示した表示制御装置１０及びディスプレイ３０の構成は、第２の実施形態においても同じである。
【００４７】
図７は、第２の実施形態に係るディスプレイ３０の画面構成の例を示す図である。図７（ａ）は、全体画面を示しており、図７（ｂ）は、表示アプリ１１０が医療画像を表示する領域を示している。図７に示すように、第２の実施形態においては、読影画像として、内視鏡画像及びＣＴ画像がディスプレイ３０Ｃ及び３０Ｒに表示される。
【００４８】
図７（ａ）に示すように、全体画面における医療画像の表示領域（左上座標，幅，高さ）は、（（８００，０），１６００，１２００）である。図７（ｂ）に示すように、表示アプリ１１０の画面における内視鏡画像の読影画面の領域は（（８００，０），８００，６００）であり、ＣＴ画像用の読影画面の領域は（（６００，０），１６００，６００）である。また、全体画面におけるディスプレイ３０Ｌの領域は（（０，０），８００，１２００）、ディスプレイ３０Ｃの領域は（（８００，０），８００，１２００）、ディスプレイ３０Ｒの領域は（（１６００，０），８００，１２００）である。
【００４９】
図８は、第２の実施形態に係る表示制御装置１０が階調モードを変更する動作のフローチャートである。図８におけるＳ２１０１からＳ２１０４までの動作は、図５に示した第１の実施形態における動作と同じなので、詳細な説明を省略する。
【００５０】
階調制御部２２０は、表示アプリ１１０から読影画面情報を受け取ると、読影領域の階調特性を制御する処理を開始する。ここで、読影画面情報には、読影領域数と、読影領域のそれぞれに対応する読影画面情報及び画像種別情報とを少なくとも含んでいる。階調制御部２２０は、図５を参照して説明したＳ２１０２の処理によって、表示アプリ１１０を表示しているディスプレイを、ディスプレイ３０Ｃ及び３０Ｒであると特定する。
【００５１】
また、階調制御部２２０は、図５を参照して説明したＳ２１０３の処理によって、内視鏡画像を表示しているディスプレイがディスプレイ３０Ｒであると特定し、ＣＴ画像を表示しているディスプレイがディスプレイ３０Ｃ及び３０Ｒであると特定する。また、階調制御部２２０は、図５で説明したＳ２１０４の処理によって、ディスプレイ３０Ｒの上半分の階調モード種別はガンマ２．２階調であり、ディスプレイ３０Ｃ及び３０Ｒの下半分の階調モード種別はＤＩＣＯＭ階調であると特定する。
【００５２】
次に、階調制御部２２０は、読影画面情報により示される読影画面のレイアウトに基づき、階調モードを適用する読影画像の領域を示す適用領域情報（左上座標，幅，高さ）を算出する（Ｓ２１０６）。図７に示した例では、階調制御部２２０は、内視鏡画像を表示する領域を示す情報（（８００，０），８００，６００）とディスプレイ３０Ｒのサイズ情報(幅８００，高さ１２００)とに基づいて、ディスプレイ３０Ｒに対して、内視鏡画像用のガンマ２．２の階調モードを適用する領域を示す適用領域情報を（（０，０），８００，６００）と算出する。また、階調制御部２２０は、ＣＴ画像を表示する領域を示す情報（（０，６００），１６００，６００）とディスプレイ３０Ｌ及び３０Ｒのサイズ情報(幅８００，高さ１２００)とに基づいて、ディスプレイ３０Ｌ及び３０Ｒのそれぞれに対して、ＣＴ画像用のＤＩＣＯＭの階調モードを適用する領域を示す適用領域情報を（（０，６００），８００，６００）と算出する。
【００５３】
続いて、階調制御部２２０は、読影画面情報が示す読影領域の数に対応する読影画像を表示するディスプレイ３０の特定、階調モード種別の特定、及び適用領域情報の算出が完了したか否かを判定する（Ｓ２１０７）。階調制御部２２０は、これらの特定が完了していない場合（Ｓ２１０７においてＮｏの場合）、次の読影領域に対して読影画像を表示するディスプレイを特定する（Ｓ２１０３）。階調制御部２２０は、全ての読影領域に対して、これらの特定が完了している場合（Ｓ２１０７においてＹｅｓの場合）、階調モード変更コマンドを発行するようにコマンド発行部２３０に指示する（Ｓ２１０５）。
【００５４】
ここで、本実施形態における階調モード変更コマンドを発行するための指示は、少なくともディスプレイ識別情報、階調モード種別情報、適用領域情報を含んでいる。また、コマンド発行部２３０が発行する階調モード変更コマンドは、コマンド識別情報、階調モード種別情報及び適用領域情報を少なくとも含んでいる。図７に示した例では、コマンド発行部２３０は、ディスプレイ３０Ｌの下半分をＤＩＣＯＭ階調モードに変更するコマンドをディスプレイ３０Ｃに送信し、ディスプレイ３０Ｒの上半分をガンマ２．２階調モードに変更するコマンド、及びディスプレイ３０Ｒの下半分をＤＩＣＯＭ階調モードに変更するコマンドをディスプレイ３０Ｒに送信する。
【００５５】
図９は、階調モード変更コマンドを受信したディスプレイ３０が階調モードを変更する動作のフローチャートである。階調モード管理部３２０は、コマンド処理部３１０から階調モード変更指示を受け取ると、階調モード変更処理を開始する。ここで、階調モード変更指示は、少なくとも階調モード種別情報及び適用領域情報を含んでいる。図９におけるＳ３３１からＳ３３４までの処理は、図６と同様の処理なので説明を省略する。
【００５６】
階調モード管理部３２０は、階調モード変更指示に含まれる適用領域情報を取得する（Ｓ３３６）。続いて、階調モード管理部３２０は、階調モード種別情報及び適用領域情報に基づいて、階調補正部３３０に、階調を補正する対象となる領域と、階調補正値とを設定する（Ｓ３３７）。図７に示した例では、ディスプレイ３０Ｃの階調モード管理部３２０は、下半分の領域をＤＩＣＯＭ階調モードにするための階調補正値を設定する。また、ディスプレイ３０Ｒの階調モード管理部３２０は、上半分の領域をガンマ２．２階調モードにするための階調補正値を設定するとともに、下半分の領域をＤＩＣＯＭ階調モードにするための階調補正値を設定する。
【００５７】
ディスプレイ３０Ｃ及びディスプレイ３０Ｒにおいて、階調モードを変更する前の階調モード種別がガンマ２．２階調であった場合、ディスプレイ３０Ｒの上半分に対しては、階調特性が変更されない。また、ディスプレイ３０Ｃ及びディスプレイ３０Ｒの下半分に対しては、階調特性が変更される。
【００５８】
階調補正部３３０は、入力画像信号の表示領域が読影領域と一致すれば読影領域に対応する階調補正値を選択し、入力画像信号の表示領域が読影領域と一致しなければ通常の階調補正値を選択することで、出力画像信号の階調特性を表示領域に応じて変える。図７に示した例では、ディスプレイ３０Ｃ及びディスプレイ３０Ｒの階調補正部３３０は、入力画像信号の表示領域が下半分であれば、通常のガンマ２．２階調ではなくＤＩＣＯＭ階調の補正値を適用することになる。
【００５９】
［第２の実施形態における効果］
以上説明したように、第２の実施形態に係る表示制御装置１０は、異なる種別の複数の読影画像を複数のディスプレイ３０に表示する場合に、読影画像を表示する領域の階調特性を、それぞれの読影画像に適した階調特性に設定する。そして、ディスプレイ３０は、読影画像を表示する領域の階調補正値を、表示する読影画像に適した階調特性に対応する値に設定する。このようにすることで、ユーザによる特別な操作がなくても、読影画像を表示するそれぞれの領域の階調特性を適切な階調特性にすることができる。
【００６０】
＜第３の実施形態＞
［比較読影用の階調モードを使用する］
第１の実施形態においては、読影画像が単独で読影されることが想定されていたが、第３の実施形態においては、複数の読影画像を比較する比較読影が実施されることが想定されている点で第１の実施形態と異なる。
【００６１】
図１０は、第３の実施形態に係る表示システム１の構成を示す図である。図１０に示す表示システム１は、図３に示した表示制御装置１０及びディスプレイ３０の代わりに、表示制御装置１１及びディスプレイ３１を有する点で異なる。表示制御装置１１は、図３に示した表示制御装置１０における制御部２００の代わりに制御部２０１を有する。制御部２０１は、比較読影判定部２４０をさらに有する点で制御部２００と異なる。また、制御部２０１は、階調制御部２２０の代わりに階調制御部２２１を有し、コマンド発行部２３０の代わりにコマンド発行部２３１を有する。
【００６２】
ディスプレイ３１は、コマンド処理部３１０の代わりにコマンド処理部３１１を有し、階調モード管理部３２０の代わりに階調モード管理部３２１を有する点で、ディスプレイ３０と異なる。
【００６３】
ユーザが複数のディスプレイ３１を用いて比較読影をする場合、複数のディスプレイ３１が、同じ階調特性に基づいて読影画像を表示しなければ、比較読影の精度が低下する。そこで、本実施形態に係る表示システム１は、複数のディスプレイ３１において、比較する複数の読影画像が同じ階調特性に基づいて表示されるようにするための比較読影用階調特性を用いる点で、第１の実施形態に係る表示システム１と異なる。なお、本実施形態において、ユーザが複数のディスプレイ３１を用いて比較読影しない場合の読影画像を単独読影用画像と称し、ユーザが複数のディスプレイ３１を用いて比較読影する場合の読影画像を比較読影用画像と称する。
【００６４】
以下、第１の実施形態と異なる構成及び動作について説明する。
階調制御部２２１は、情報取得部２１０を介して表示アプリ１１０から読影画面情報を受け取ると、読影画像を表示する複数のディスプレイ３１を特定し、特定した複数のディスプレイ３１に適用する階調モードを決定する。また、階調制御部２２１は、読影画像が単独読影用画像であるか比較読影用画像であるかを判定するための比較読影判定指示を比較読影判定部２４０に提供する。ここで、比較読影判定指示は、読影画像を表示する複数のディスプレイ３１のディスプレイ識別情報、及びそれぞれのディスプレイ３１に表示される読影画像の画像種別情報を含んでいる。
【００６５】
比較読影判定部２４０は、階調制御部２２１から比較読影判定指示を受け取ると、読影画像が比較読影用画像か単独読影用画像かを判定する。比較読影判定部２４０は、複数のディスプレイ３１のそれぞれに表示される読影画像の種別が異なる場合に、読影画像が単独読影用画像であると判定する。比較読影判定部２４０は、複数のディスプレイ３１のそれぞれに表示される読影画像の種別が同一である場合に、読影画像が比較読影用画像であると判定する。比較読影判定部２４０は、判定結果を階調制御部２２１に通知する。
【００６６】
階調制御部２２１は、比較読影判定部２４０から、複数のディスプレイ３１が単独読影用画像を表示するのか比較読影用画像を表示するのかを判定した結果を受け取ると、読影画像を表示するディスプレイ３１に対して階調モード変更コマンドを発行させるためのコマンド発行指示を、コマンド発行部２３１に対して出力する。ここで、コマンド発行指示は、少なくともディスプレイ識別情報、階調モード種別情報、比較読影フラグ、隣接条件に関する情報（以下、「隣接条件情報」と称する）を含んでいる。隣接条件情報は、複数のディスプレイ３１のうち、隣接する他方のディスプレイ３１のディスプレイ識別情報を含む情報である。比較読影フラグは、読影画像が比較読影用画像であるか否かを示す情報である。
【００６７】
コマンド発行部２３１は、階調制御部２２１から受け取ったコマンド発行指示に基づいて表示制御コマンドを作成し、ＵＳＢケーブル等の通信線Ｌを介してディスプレイ３１に送信する。具体的には、コマンド発行部２３１は、階調制御部２２１からコマンド発行指示を受け取ると、階調モード変更コマンドを作成し、複数の読影画像を表示するディスプレイ３１のコマンド処理部３１１にコマンドを送信する。ここで、階調モード変更コマンドは、コマンド識別情報、階調モード種別情報、比較読影フラグ、隣接条件情報を少なくとも含む。
【００６８】
コマンド処理部３１１は、コマンド発行部２３１から受け取った表示制御コマンドが階調モードの変更を指示するコマンドであることを認識すると、階調モード管理部３２２に対して階調モード変更指示を出す。ここで、階調モード変更指示は、階調モード種別、比較読影フラグ、隣接条件情報を少なくとも含む。
【００６９】
階調モード管理部３２２は、読影画像の種別ごとに、単独読影用画像を表示する場合の階調モードと、比較読影用画像を表示する場合の階調モードとを管理している。さらに、比較読影用画像を表示する場合の階調モードとして、比較読影用画像を表示する隣接するディスプレイ３１に関連付けられた比較読影用の階調モードを管理している。比較読影用の階調モードにおいては、比較読影用階調特性が用いられる。比較読影用階調特性においては、隣接する２台のディスプレイ３１の表示階調（最小輝度〜最大輝度）を一致させるようにする階調補正値が適用される。なお、この階調補正値は、表示制御装置１１又はディスプレイ３１で実行可能な医療ディスプレイ管理ツールやディスプレイ構成ツールを用いて予め算出されたものである。
【００７０】
図１１は、階調モード管理部３２２が管理している階調モードの例を示す表である。図１１の例では、ディスプレイ３１Ｃの階調モード管理部３２２は、９種類の階調モードを管理している。例えば、ディスプレイ３１Ｃにおいては、ＬｏｇＬｉｎｅａｒ階調、ＤＩＣＯＭ階調及びガンマ２．２階調のそれぞれに対して、単独読影用画像が表示される場合の階調モードと、ディスプレイ３１Ｃ、３１Ｌに比較読影用画像が表示される場合の階調モード（左隣用）と、ディスプレイ３１Ｃ、３１Ｒに比較読影用画像が表示される場合の階調モード（右隣用）とが設けられている。
【００７１】
図１２は、比較読影用画像がディスプレイ３１Ｃ、３１Ｒに表示された画面構成の例を示す図である。全体画面における、表示アプリ１１０により医療画像が表示される領域（左上座標，幅，高さ）は、（（０，０），２４００，１２００）である。表示アプリ１１０の画面におけるＣＴ画像用の読影領域は（（８００，０），１６００，１２００）である。また、全体画面におけるディスプレイ３１Ｌの領域は（（０，０），８００，１２００）、ディスプレイ３１Ｃの領域は（（８００，０），８００，１２００）、ディスプレイ３１Ｒの領域は（（１６００，０），８００，１２００）である。
【００７２】
ＣＴ画像には、比較用の複数の読影画像（読影画像ｍ、ｎ）が含まれている。ディスプレイ３１Ｃは読影画像ｍを表示し、ディスプレイ３１Ｒは、読影画像の比較の対象となる比較画像としての読影画像ｎを表示する。ディスプレイ３１Ｃは、ＤＩＣＯＭ右隣用の階調モードに対応する比較読影用階調特性に基づいて読影画像ｍを表示する。ディスプレイ３１Ｒは、ＤＩＣＯＭ左隣用の階調モードに対応する比較読影用階調特性に基づいて読影画像ｎを表示する。このようにすることで、ディスプレイ３１Ｃの表示階調特性とディスプレイ３１Ｒの表示階調特性とが一致するので、ディスプレイ３１Ｃ及びディスプレイ３１Ｒは、同じ条件下で読影画像ｍ及び読影画像ｎを表示することができる。
【００７３】
図１３は、図１２に示した読影画像をディスプレイ３１Ｃ及びディスプレイ３１Ｒに表示する場合における表示制御装置１１の動作のフローチャートである。階調制御部２２１は、表示アプリ１１０から読影画面情報を受け取ると、読影領域の階調特性を制御する処理を開始する。
【００７４】
階調制御部２２１は、図５で説明したＳ２１０２の処理によって、ディスプレイ３１Ｌ、３１Ｃ、３１Ｒが、表示アプリ１１０を表示していると特定する。また、階調制御部２２１は、図５で説明したＳ２１０３の処理によって、ディスプレイ３１Ｃ及びディスプレイ３１Ｒが、ＣＴ画像を表示していると特定する。また、階調制御部２２１は、図５で説明したＳ２１０４の処理によって、ディスプレイ３１Ｃ及びディスプレイ３１Ｒの階調モード種別はＤＩＣＯＭ階調であると特定する。
【００７５】
続いて、階調制御部２２１は、読影画像を表示するディスプレイ３１が複数台であるか否かを判定する（Ｓ２１０８）。階調制御部２２１は、読影画像を表示するディスプレイ３１が１台であると判定した場合（Ｓ２１０８においてＮｏの場合）、階調制御部２２１は、読影画像が比較読影用でないと判定して、比較読影フラグをＯＦＦにする（Ｓ２１０９）。階調制御部２２１は、読影画像を表示するディスプレイ３１が複数台であると判定した場合（Ｓ２１０８においてＹｅｓの場合）、複数のディスプレイ３１が比較読影用画像を表示するか否かを判定する指示を比較読影判定部２４０に出す（Ｓ２１１０）。
【００７６】
図１２に示した例では、ディスプレイ３１Ｃ及びディスプレイ３１Ｒが読影画像を表示するので、比較読影判定部２４０は、ディスプレイ３１Ｃ及びディスプレイ３１Ｒが比較読影用画像を表示するか否かを判定する（Ｓ２１１１）。階調制御部２２１は、比較読影判定部２４０が、ディスプレイ３１Ｃ及びディスプレイ３１Ｒが比較読影用画像を表示すると判定した場合（Ｓ２１１１においてＹｅｓの場合）、比較読影フラグをＯＮにする（Ｓ２１１２）。比較読影判定部２４０における判定方法の詳細については後述する。
【００７７】
続いて、階調制御部２２１は、隣接条件情報を取得する（Ｓ２１１３）。図１２に示した例では、ディスプレイ３１Ｃはディスプレイ３１Ｒとともに比較読影用画像を表示するので、ディスプレイ３１Ｃの比較読影フラグはＯＮで、隣接条件は右隣となる。また、ディスプレイ３１Ｒの比較読影フラグはＯＮで、隣接条件は左隣となる。
【００７８】
次に、階調制御部２２１は、読影画像を表示する全てのディスプレイ３１に対する比較読影判定が終了したか否かを判定する（Ｓ２１１４）。階調制御部２２１は、比較読影判定されていないディスプレイ３１がある場合（Ｓ２１１４においてＮｏの場合）、比較読影判定するよう比較読影判定部２４０に指示を出す（Ｓ２１１０）。階調制御部２２１は、比較判定されていないディスプレイ３１がない場合（Ｓ２１１４においてＹｅｓの場合）、読影画像を表示するディスプレイ３１に対する階調モードの変更を指示するためのコマンド発行指示をコマンド発行部２３１に出す（Ｓ２１０５）。
【００７９】
図１２に示した例では、コマンド発行部２３１は、ディスプレイ３１Ｃの階調モードを、右隣のディスプレイ３１Ｒを用いて比較読影する場合のＤＩＣＯＭ階調モードに変更するための階調モード変更コマンドをディスプレイ３１Ｃに送信する。また、コマンド発行部２３１は、ディスプレイ３１Ｒの階調モードを、左隣のディスプレイ３１Ｃを用いて比較読影する場合のＤＩＣＯＭ階調モードに変更するための階調モード変更コマンドをディスプレイ３１Ｒに送信する。
【００８０】
図１４は、比較読影判定部２４０が、ディスプレイ３１に表示する読影画像が単独読影用画像であるか比較読影用画像であるかを判定する動作のフローチャートである。
比較読影判定部２４０は、階調制御部２２１から比較読影判定指示を受け取ると、読影画像を表示する一のディスプレイ３１に隣接し、かつ読影画像を表示する他のディスプレイ３１があるか否かを判定する（Ｓ２３１）。図１２に示した例では、ディスプレイ３１Ｃの左隣であるディスプレイ３１Ｌは読影画像を表示しないが、ディスプレイ３１Ｃの右隣であるディスプレイ３１Ｒは読影画像を表示する。そこで、比較読影判定部２４０は、ディスプレイ３１Ｃに対しては、ディスプレイに３１Ｃに隣接し、かつ読影画像を表示するディスプレイ３１Ｒがあると判定する。
【００８１】
比較読影判定部２４０は、判定対象のディスプレイ３１に隣接し、かつ読影画像を表示するディスプレイ３１がない場合（Ｓ２３２においてＮｏの場合）、判定対象のディスプレイ３１が単独読影用であると判定する（Ｓ２３５）。比較読影判定部２４０は、判定対象のディスプレイ３１に隣接し、かつ読影画像を表示するディスプレイがある場合（Ｓ２３２においてＹｅｓの場合）、隣接するディスプレイ３１において読影画像を表示する際の階調モード種別が、判定対象のディスプレイ３１で読影画像を表示する際の階調モード種別と同一であるか否かを判定する（Ｓ２３３）。
【００８２】
図１２で示した例では、ディスプレイ３１Ｃ及びディスプレイ３１ＲにＣＴ画像が表示されるので、比較読影判定部２４０は、ディスプレイ３１Ｃの右隣であるディスプレイ３１Ｒは、ディスプレイ３１Ｃと同一のＤＩＣＯＭ階調モードに設定されると判定する。比較読影判定部２４０は、読影画像を表示する際の複数のディスプレイ３１における階調モード種別が同一である場合（Ｓ２３４においてＹｅｓの場合）、ディスプレイ３１Ｃ及びディスプレイ３１Ｒが比較読影用画像を表示するディスプレイであると判定する（Ｓ２３６）。この場合、比較読影判定部２４０は、隣接条件を算出する（Ｓ２３７）。図１２に示した例では、ディスプレイ３１Ｃは、ディスプレイ３１Ｒとともに比較読影用画像を表示するディスプレイであるので、比較読影判定部２４０は、隣接条件を右隣と算出する。
【００８３】
比較読影判定部２４０は、読影画像を表示する際の複数のディスプレイ３１における階調モード種別が同一でない場合（Ｓ２３４においてＮｏの場合）、ディスプレイ３１Ｃが単独読影用画像を表示すると判定する（Ｓ２３５）。
【００８４】
［第３の実施形態における効果］
以上説明したように、第３の実施形態に係る表示制御装置１１は、読影画像を表示する複数のディスプレイ３１が比較読影用画像を表示するのか否かを判定し、複数のディスプレイ３１が比較読影用画像を表示する場合、複数のディスプレイ３１の階調特性を比較読影用の階調特性に設定する。そして、複数のディスプレイ３１は、比較読影用の階調特性に基づいて読影画像を表示する。このようにすることで、複数のディスプレイ３１で比較読影用画像を表示して比較読影する際に、比較する対象の複数の読影画像を同一の階調特性で表示することができるので、比較読影の精度が向上する。
【００８５】
＜第４の実施形態＞
［比較読影用の階調モードを作成する］
第３の実施形態においては、比較読影用の階調特性に対応する補正値が予め準備されていたが、第４の実施形態においては、比較読影用の階調特性に対応する補正値が予め準備されていない点で異なる。
【００８６】
図１５は、第４の実施形態に係る表示システム１の構成を示す図である。図１５に示す表示システム１は、表示制御装置１２と、複数のディスプレイ３２（３２Ｌ、３２Ｃ、３２Ｒ）とを有する。表示制御装置１２は、図１０に示した制御部２０１に対応する制御部２０２が共通目標算出部２５０をさらに有する点で、図１０に示した表示制御装置１１と異なる。また、表示制御装置１２は、制御部２０２が、階調制御部２２１の代わりに階調制御部２２２を有し、コマンド発行部２３１の代わりにコマンド発行部２３２を有する点でも表示制御装置１１と異なる。
【００８７】
ディスプレイ３２は、階調補正値算出部３５０及びパッチ測色部３６０をさらに有する点で、図１０に示したディスプレイ３１と異なる。また、ディスプレイ３２は、コマンド処理部３１１の代わりにコマンド処理部３１２を有し、階調モード管理部３２１の代わりに階調モード管理部３２２を有する点でも、ディスプレイ３１と異なる。
【００８８】
本実施形態に係る表示制御装置１２は、複数のディスプレイ３２を用いて比較読影が行われる場合、所定の目標階調特性に基づいて、複数のディスプレイ３２の階調特性を、複数のディスプレイ３２が共通に使用する共通階調特性に設定する。複数のディスプレイ３２は、共通階調特性に対応する新たな階調モードを作成し、作成した階調モードに対応する階調補正値を生成する。
【００８９】
共通階調特性は、隣接する２台のディスプレイ３２の階調特性を一致させるように階調補正値が適用された階調特性である。共通階調特性は、例えば、複数のディスプレイ３２の最小輝度又は最大輝度が異なる場合、それぞれのディスプレイ３２の最大輝度から選択された小さい方の最大輝度と、それぞれのディスプレイ３２の最小輝度から選択された大きい方の最大輝度と、に基づいて設定される。
【００９０】
第３の実施形態と同様に、コマンド発行部２３２は、階調制御部２２２からの指示に基づいて、比較読影用の階調特性にディスプレイ３２を設定するための階調モード変更コマンドをディスプレイ３２に送信する。本実施形態において、表示制御装置１２は、コマンド発行部２３２が階調モード変更コマンドを送信した後に、階調モードの変更に失敗した旨の通知をディスプレイ３２から受信すると、比較読影用の新たな階調特性を生成するための処理を実行する。表示制御装置１２は、例えば、ディスプレイ３２が比較読影用の階調補正値を保持していない場合に、階調モードの変更に失敗した旨の通知を受信する。
【００９１】
共通目標算出部２５０は、比較読影用の新たな階調特性を生成するための処理として、まず、比較読影用画像を表示する複数のディスプレイ３２の階調特性を揃えるための共通目標を算出する。共通目標算出部２５０は、コマンド発行部２３２を介して、２台のディスプレイ３２のそれぞれの最大輝度及び最小輝度を受け取り、共通の目標最大輝度及び目標最小輝度を算出する。ディスプレイ３２の最大輝度及び最小輝度は、例えばパッチ測色部３６０により測定された輝度である。
【００９２】
共通目標算出部２５０は、２台のディスプレイ３２の最大輝度のうち小さい方の最大輝度を、共通の目標最大輝度として算出する。また、共通目標算出部２５０は、２台のディスプレイ３２の最小輝度のうち大きい方の最小輝度を、共通の目標最小輝度として算出する。共通目標算出部２５０は、算出した共通の目標最大輝度及び目標最小輝度をコマンド発行部２３２に提供する。コマンド発行部２３２は、共通の目標最大輝度及び目標最小輝度をディスプレイ３２に送信する。
【００９３】
階調補正値算出部３５０は、コマンド発行部２３２から送信された共通の目標最大輝度及び目標最小輝度に基づいて、比較読影用の新たな階調特性に対応する階調補正値を算出する。階調補正値算出部３５０が階調補正値を算出する手順の詳細については後述する。
【００９４】
パッチ測色部３６０は、指定された階調の輝度の測定に用いられる画像である測色パッチを表示部３４０に表示させる。測色パッチは、階調補正値を算出するために必要な目標最大輝度及び目標最小輝度を得るために用いられる。したがって、測色パッチは、ディスプレイ３２の最大輝度を測定するための白パッチ及び最小輝度を測定するための黒パッチを少なくとも含む画像である。パッチ測色部３６０は、表示部３４０の表面に近接するよう設置されている測色器を用いて測色パッチの輝度を示す測色値を取得する。
【００９５】
［階調モード作成の動作］
図１６は、第４の実施形態に係る表示制御装置１２が新たな階調特性をディスプレイ３２に設定する動作のフローチャートである。
コマンド発行部２３２は、階調制御部２２２から階調モード変更コマンドの発行指示を受け取ると、コマンド発行処理を開始する。コマンド発行部２３２は、階調制御部２２２からコマンド発行指示を受け取ると、階調モード変更コマンドを作成して（Ｓ２２０１）、ディスプレイ３２にコマンドを送信する（Ｓ２２０２）。ここで、コマンド発行部２３２が作成する階調モード変更コマンドは、コマンド識別情報、階調モード情報、比較読影フラグ、及び隣接条件情報を少なくとも含んでいる。
【００９６】
コマンド発行部２３２は、コマンド処理部３１２から階調モードの変更に成功したことを示す応答を受けた場合（Ｓ２２０３においてＹｅｓの場合）、コマンド発行処理を終了する。コマンド発行部２３２は、コマンド処理部３１２から階調モードの変更に失敗したことを示す応答を受けた場合（Ｓ２２０３においてＮｏの場合）、輝度の測定を実施させるためのパッチ測色コマンドを作成する（Ｓ２２０４）。コマンド発行部２３２が作成するパッチ測色コマンドは、コマンド識別情報、パッチ表示条件（色、位置、サイズ、等）を少なくとも含んでいる。
【００９７】
次に、コマンド発行部２３２は、階調モード変更コマンドに含まれる隣接条件情報に基づいて、階調特性を揃えるべき複数のディスプレイ３２を特定する（Ｓ２２０５）。コマンド発行部２３２は、特定したディスプレイ３２のうち、階調モードの変更に失敗した応答を送信したディスプレイ３２のコマンド処理部３１２に、パッチ測色コマンドを送信する（Ｓ２２０６）。その後、コマンド発行部２３２は、パッチ測色結果をコマンド処理部３１２から受け取る（Ｓ２２０７）。これにより、コマンド発行部２３２は、階調モードの変更に失敗したディスプレイ３２の最大輝度及び最小輝度を得ることができる。
【００９８】
続いて、コマンド発行部２３２は、階調特性を揃えるべき他のディスプレイ３２のコマンド処理部３１２に、パッチ測色コマンドを送信する（Ｓ２２０８）。その後、コマンド発行部２３２は、パッチ測色結果をコマンド処理部３１２から受け取る（Ｓ２２０９）。これにより、階調モード管理部３２２は、階調モードの変更に失敗したディスプレイ３２、及び当該ディスプレイ３２と階調特性を揃えるべきディスプレイ３２の最大輝度及び最小輝度を得ることができる。
【００９９】
続いて、コマンド発行部２３２は、２台のディスプレイ３２のそれぞれの最大輝度及び最小輝度に基づいて、共通の目標最大輝度及び目標最小輝度を算出するよう共通目標算出部２５０に指示を出す（Ｓ２２１０）。ここで、当該指示は、２つの最大輝度及び２つの最小輝度を示す情報を少なくとも含んでいる。
【０１００】
コマンド発行部２３２は、共通目標算出部２５０から共通の目標最大輝度及び目標最小輝度を受け取ると（Ｓ２２１１）、階調モード作成コマンドを作成し（Ｓ２２１２）、ディスプレイ３２のコマンド処理部３１２にコマンドを送信する（Ｓ２２１３）。ここで、コマンド発行部２３２が作成する階調モード作成コマンドは、コマンド識別情報、階調モード情報、隣接条件情報、共通目標情報（目標最大輝度、目標最小輝度）、測色結果情報（最大輝度、最小輝度）を少なくとも含んでいる。コマンド発行部２３２は、コマンド処理部３１２から階調モードの作成が完了した通知を受け取ると（Ｓ２２１４）、階調モード変更コマンドを作成し（Ｓ２２１５）、ディスプレイ３２のコマンド処理部３１２にコマンドを送信する（Ｓ２２１６）。
【０１０１】
続いて、階調モード作成コマンドを受信したディスプレイ３２が、階調モードを作成する動作について説明する。
図１７は、パッチ測色部３６０が、階調モード作成コマンドに応じて、新たな階調モードに対応する階調特性に設定するための階調補正値を算出する動作のフローチャートである。
【０１０２】
パッチ測色部３６０は、コマンド処理部３１２を介して階調モード作成コマンドを受けた階調モード管理部３２２から階調補正値の算出指示を受け取ると、階調補正値を算出する処理を開始する。パッチ測色部３６０は、階調モード管理部３２２から受け取った算出指示に含まれる測色結果情報から、最大輝度Ｌwt及び最小輝度Ｌbkを取得する（Ｓ３５１）。また、パッチ測色部３６０は、階調モード管理部３２２から受け取った算出指示に含まれる共通目標情報から、目標最大輝度ＴＬwt及び目標最小輝度ＴＬbkを取得する（Ｓ３５２）。
【０１０３】
続いて、パッチ測色部３６０は、階調モード管理部３２２から受け取った算出指示に含まれる階調モード種別情報、目標最大輝度ＴＬwt及び目標最小輝度ＴＬbkに基づいて、各階調の目標輝度ＴＬnを算出する（Ｓ３５３）。パッチ測色部３６０は、階調モードに応じて入力階調の目標輝度を算出する。階調モード種別がガンマ２．２階調の場合、入力階調ＩＮnの目標輝度は、ＴＬn＝(ＩＮn／ＩＮmax)2.2×(ＴＬwt−ＴＬbk)＋ＴＬbkとなる。
【０１０４】
次に、パッチ測色部３６０は、最大輝度Ｌwt及び最小輝度Ｌbkと、算出した目標輝度ＴＬnとに基づいて、各階調の階調補正値ＯＵＴnを算出する（Ｓ３５４）。ディスプレイの表示特性がガンマ２．２である場合、目標輝度ＴＬnの階調補正値は、ＯＵＴn＝((ＴＬn−Ｌbk)／(Ｌwt−Ｌbk))(1/2.2)となる。パッチ測色部３６０は、算出した階調補正値ＯＵＴnを階調モード管理部３２２に提供する（Ｓ３５５）。
【０１０５】
階調モード管理部３２２は、パッチ測色部３６０から提供された階調補正値を、新たな階調モードの階調補正値として保持する。階調モード管理部３２２は、パッチ測色部３６０から提供された階調補正値を用いて読影画像の階調値を補正することにより、比較読影用画像に適した階調特性に基づいて読影画像を表示することができる。
【０１０６】
［第４の実施形態における効果］
以上説明したように、第４の実施形態に係る表示システム１は、ディスプレイ３２が、比較読影用の階調特性に対応する補正値を保持していない場合に、測色パッチを用いて測定したそれぞれのディスプレイ３２の最大輝度及び最小輝度に基づいて、ディスプレイ３２を新たな階調特性に設定するための階調補正値を算出する。このようにすることで、ディスプレイ３２が、比較読影用の階調特性に対応する補正値を保持していない場合であっても、複数のディスプレイ３２に、比較読影用画像を同一の階調特性で表示することができるので、比較読影の精度が向上する。
【０１０７】
なお、上記の説明においては、表示制御装置１２からの指示に基づいて、パッチ測色部３６０が測色パッチを用いてディスプレイ３２の最大輝度及び最小輝度を測定するものとして説明したが、ディスプレイ３２は、他の方法により最大輝度及び最小輝度を取得してもよい。例えば、ディスプレイ３２は、製造工程において測定された最大輝度及び最小輝度を不揮発性メモリに保持しておいてもよい。
【０１０８】
以上、本発明を実施の形態を用いて説明したが、本発明の技術的範囲は上記実施の形態に記載の範囲には限定されず、その要旨の範囲内で種々の変形及び変更が可能である。
【０１０９】
例えば、上記の実施形態において、ディスプレイ３０、３１、３２が８００×１２００の画素を有しているものとして説明したが、ディスプレイ３０、３１、３２の画素数は、画面解像度の設定値に基づいて可変であってもよい。この場合、表示制御装置１０、１１、１２は、画面解像度が切り替わるタイミングで、読影画像を表示するディスプレイ３０、３１、３２及び読影画像が表示される領域を特定し直してもよい。
【符号の説明】
【０１１０】
１０  表示制御装置
３０  ディスプレイ
２１０  情報取得部
２２０  階調制御部
２３０  コマンド発行部
【図１】
2016042954.tif 000003
【図２】
2016042954.tif 000004
【図３】
2016042954.tif 000005
【図４】
2016042954.tif 000006
【図５】
2016042954.tif 000007
【図６】
2016042954.tif 000008
【図７】
2016042954.tif 000009
【図８】
2016042954.tif 000010
【図９】
2016042954.tif 000011
【図１０】
2016042954.tif 000012
【図１１】
2016042954.tif 000013
【図１２】
2016042954.tif 000014
【図１３】
2016042954.tif 000015
【図１４】
2016042954.tif 000016
【図１５】
2016042954.tif 000017
【図１６】
2016042954.tif 000018
【図１７】
2016042954.tif 000019